(57)【要約】  低電力伝送モードを使用するため、モバイル端末（１０６）を動作する方法及びモバイル端末（１０６）を提供する。当該方法は、基地局（１０４）へアクセス要求を送信し、アクセス要求に応じて、低電力伝送モードを使用して送信する要求を基地局（１０４）から受信し、低減送信電力レベルを使用して基地局（１０４）と通信することを備える。基地局からの要求は、基地局探索機能を無効にする要求を備える。電力の影響を受けやすい環境、例えば航空機または病院内部で適用される。
2009517901.tif 000002
【特許請求の範囲】
【請求項１】
低電力伝送モードを使用するモバイル端末を動作する方法であって、
アクセス要求を基地局に送信する工程と、
前記アクセス要求に応じて、低電力伝送モードを使用して送信することの要求を前記基地局から受信する工程と、
低減送信電力レベルを使用して前記基地局と通信する工程と
を備える方法。
【請求項２】
前記受信する工程は、前記低電力伝送モードを使用して送信する要求であり、かつ、前記基地局を特別な基地局として識別する、識別コードを少なくとも受信する工程を備えることを特徴とする請求項１に記載の方法。
【請求項３】
前記受信する工程は、基地局探索機能を無効にすることの要求を備えることを特徴とする請求項１に記載の方法。
【請求項４】
前記送信する工程は、前記アクセス要求を送信するために、最大可能送信電力の設定値以下の所定の低減送信電力を使用する工程を備えることを特徴とする請求項１に記載の方法。
【請求項５】
前記低電力伝送モードである間に、後続の送信のために、割り当てられた低減送信電力レベルを基地局から受信する工程をさらに備える請求項１に記載の方法。
【請求項６】
前記送信することの要求を、飛行機内の基地局である特別な基地局から受信する工程を備える請求項１に記載の方法。
【請求項７】
前記送信することの要求を、電力の影響を受けやすい環境内で動作している特別な基地局から受信する工程を備える請求項１に記載の方法。
【請求項８】
前記モバイル電話機が前記低電力伝送モードでない場合に、最大送信電力を使用して前記アクセス要求を送信する工程をさらに備え、
前記最大電力が所定のレベル以上である場合に、前記受信する工程は、前記低電力伝送モードに切り替えることの要求を前記基地局から受信する工程を備えることを特徴とする請求項１に記載の方法。
【請求項９】
前記受信した識別コードが特別な基地局に対するものであるかどうかを判定するために、該識別コードを前記モバイル端末に保存された少なくとも一つの識別コードと比較する工程を備える請求項２に記載の方法。
【請求項１０】
前記低電力伝送モードを使用する基地局が配置されていない場合に、基地局の探索を無効にする工程をさらに備える請求項１に記載の方法。
【請求項１１】
低電力伝送モードで動作可能なモバイル端末であって、
プロセッサと、
基地局にアクセス要求を送信するように構成された送信器と、
送信されたアクセス要求に応じて、低電力伝送モードを使用して送信することの要求を前記基地局から受信するように構成された受信器とを備え、
前記送信器は、前記低電力伝送モードにおいて低減電力レベルを使用して前記基地局と通信するように構成されたことを特徴とするモバイル端末。
【請求項１２】
前記プロセッサは、前記送信すること要求において受信した識別コードが特別な基地局を識別するかどうかを判定し、前記基地局が特別な基地局である場合に、基地局探索機能を無効にするように構成されたことを特徴とする請求項１１に記載のモバイル端末。
【請求項１３】
前記送信器は、前記モバイル端末が前記低電力伝送モードである場合に、所定の低減電力の設定値を使用して前記アクセス要求を送信するように構成されたことを特徴とする請求項１１に記載のモバイル端末。
【請求項１４】
前記受信器は、前記低電力伝送モードである間に、後続の送信のために、割り当てられた低減電力レベルを基地局から受信するように構成されたことを特徴とする求項１１に記載のモバイル端末。
【請求項１５】
前記モバイル端末は、携帯用若しくはハンドヘルドのモバイル無線通信機器、モバイル無線端末、モバイル電話機、スマートフォン、又はコミュニケータであることを特徴とする請求項１１に記載のモバイル端末。
【請求項１６】
電力の影響を受けやすい環境内の基地局を動作する方法であって、
アクセス要求をモバイル端末から受信する工程と、
前記アクセス要求の電力レベルを判定する工程と、
前記アクセス要求の前記電力レベルが所定のレベル以上の場合に、前記モバイル端末が低電力伝送モードに入ることの要求を送信する工程とを備える方法。
【請求項１７】
前記送信する工程は、前記基地局を特別な基地局として識別し、かつ、低電力伝送モードに入る要求である、識別コードを、前記モバイル端末に送信する工程を備えることを特徴とする請求項１６に記載の方法。
【請求項１８】
電力の影響を受けやすい環境で動作する基地局であって、
アクセス要求をモバイル端末から受信するように動作する受信器と、
前記アクセス要求の電力レベルを判定するように動作するプロセッサと、
前記アクセス要求の前記電力レベルが所定のレベル以上の場合に、前記モバイル端末が低電力伝送モードに入ることの要求を送信するように動作する送信器とを備える基地局。
【請求項１９】
前記送信器は、前記基地局を特別な基地局として識別し、かつ、低電力伝送モードに入る要求である、識別コードを、前記モバイル端末に送信するように動作することを特徴とする請求項１８に記載の基地局。
【請求項２０】
コンピュータに、請求項１乃至１０のいずれか１項に記載の方法を実行させるコンピュータ・プログラム。
【請求項２１】
コンピュータで読み取り可能な記憶媒体に記憶された請求項２０に記載のコンピュータ・プログラム。
【請求項２２】
コンピュータに、請求項１６又は１７に記載の方法を実行させるコンピュータ・プログラム。  
【請求項２３】
コンピュータで読み取り可能な記憶媒体に記憶された請求項２２に記載のコンピュータ・プログラム。
【発明の詳細な説明】
【技術分野】
【０００１】
本発明は、電力の影響を受けやすい環境（Ｐｏｗｅｒ−ｓｅｎｓｉｔｉｖｅ  ｅｎｖｉｒｏｎｍｅｎｔ）で用いるモバイル端末に関する。モバイル端末は、電力の影響を受けやすい環境、例えば航空機内で動作する場合に、低減又は低電力伝送モードを使用する。また、本発明は、低電力伝送モードを使用するモバイル端末を動作する方法に関する。
【背景技術】
【０００２】
過去２０年に亘って、モバイル端末又はモバイル電話機の人気と利用とは急上昇している。人々は、今や、どこへでも、旅行する時でさえも、自分のモバイル電話機を持って行く。しかしながら、モバイル電話機の使用が制限される場所は、航空機上と、病院のようなその他の電力の影響を受けやすい環境内とである。モバイル電話機からの高電力伝送が、飛行中に使用される航空機システムと干渉するおそれがあるため、航空機内でのモバイル電話機の使用は制限される。
【０００３】
航空会社は、飛行中の通話ができる能力を乗客に提供するために、様々な機内電話（ａｉｒｐｈｏｎｅ）システムを使用している。しかしながら、これらのシステムは、航空会社が提供する航空機内の電話機の一つを使用するように乗客に要求する。典型的には、これらのシステムは、飛行機の客室内の幾つかの座席の背もたれに配線をしたコード電話機を利用している。電話機は電話システムに配線されているので、高電力伝送レベルは懸案にならない。残念ながら、これらの電話システムには幾つかの問題点がある。ある乗客が通話をしたいときに他の乗客が電話機を使用しているかもしれないし、または、最も近くの電話機が故障しているかサービス停止中かもしれない。さらに、これらの電話システムは、設置及び保守をするのに非常に費用がかかる。最終的には、乗客は、選択の余地があれば、むしろ自分自身のモバイル電話機を使用するであろう。
【発明の開示】
【発明が解決しようとする課題】
【０００４】
上述のように、航空機上でモバイル電話機を使用することに伴う問題点は、航空機の飛行システムと干渉する可能性があるということである。例えば、ＧＳＭ（移動通信用グローバル・システム）、ＵＭＴＳ（ユニバーサル・モバイル・テレコミュニケーション・システム）、ＥＤＧＥ（エンハンスド・データ・フォー・ＧＳＭエボリューション）、ＧＰＲＳ（汎用パケット無線システム）システムのような通信システムでは、初期設定においてランダム・アクセス・バーストがモバイル電話機によってランダム・アクセス・チャネル（ＲＡＣＨ）上に送信される。ランダム・アクセス・バーストは常に全電力で送信される。もちろん、これらの全電力の伝送は、飛行機のシステムと干渉する可能性がある。これらの通信システムに伴う別の問題点は、第１の基地局が発見された場合に、モバイル電話機はその他の（より良い）基地局を探索し続けるということである。そのため、飛行機内に基地局を配置したとしても、モバイル電話機は航空機の外部にある基地局を探索し続けるであろう。例えば、航空機内の基地局に接続したモバイル電話機は、地上の基地局を発見し、その基地局に切り替えようとするかもしれない。この探索は全て、航空機の飛行システムと干渉するかもしれないモバイル電話機による高電力伝送という結果をもたらす。
【０００５】
したがって、モバイル電話機からの伝送電力レベルを制御することにより、電力の影響を受けやすい環境でモバイル電話機が動作可能となる方法及び装置の必要性がある。
【課題を解決するための手段】
【０００６】
ある実施形態によれば、低電力伝送モードを使用するモバイル端末を動作する方法は、アクセス要求を基地局に送信する工程と、前記アクセス要求に応じて、低電力伝送モードを使用して送信することの要求を前記基地局から受信する工程と、低減送信電力レベルを使用して前記基地局と通信する工程とを備える。
【０００７】
前記受信する工程は、前記低電力伝送モードを使用して送信する要求であり、かつ、前記基地局を特別な基地局として識別する、識別コードを少なくとも受信する工程を備えてもよい。
【０００８】
前記受信する工程は、基地局探索機能を無効にすることの要求を備えてもよい。
【０００９】
前記送信する工程は、前記アクセス要求を送信するために、最大可能送信電力の設定値以下の所定の低減送信電力を使用する工程を備えてもよい。
【００１０】
前記方法は、前記低電力伝送モードである間に、後続の送信のために、割り当てられた低減送信電力レベルを基地局から受信する工程を備えてもよい。
【００１１】
前記方法は、前記送信することの要求を、飛行機内の基地局である特別な基地局から受信する工程を備えてもよい。
【００１２】
前記方法は、前記送信することの要求を、電力の影響を受けやすい環境内で動作している特別な基地局から受信する工程を備えてもよい。
【００１３】
前記方法は、前記モバイル電話機が前記低電力伝送モードでない場合に、最大送信電力を使用して前記アクセス要求を送信する工程を備えてもよい。前記最大電力が所定のレベル以上である場合に、前記受信する工程は、前記低電力伝送モードに切り替えることの要求を前記基地局から受信する工程を備えてもよい。
【００１４】
前記方法は、前記受信した識別コードが特別な基地局に対するものであるかどうかを判定するために、該識別コードを前記モバイル端末に保存された少なくとも一つの識別コードと比較する工程を備えてもよい。
【００１５】
前記方法は、前記低電力伝送モードを使用する基地局が配置されていない場合に、基地局の探索を無効にする工程を備えてもよい。
【００１６】
別の実施形態によれば、低電力伝送モードで動作可能なモバイル端末は、プロセッサと、基地局にアクセス要求を送信するように構成された送信器と、送信されたアクセス要求に応じて、低電力伝送モードを使用して送信することの要求を前記基地局から受信するように構成された受信器とを備える。前記送信器は、前記低電力伝送モードにおいて低減電力レベルを使用して前記基地局と通信するように構成される。
【００１７】
前記プロセッサは、前記送信すること要求において受信した識別コードが特別な基地局を識別するかどうかを判定し、前記基地局が特別な基地局である場合に、基地局探索機能を無効にするように構成されてもよい。
【００１８】
前記送信器は、前記モバイル端末が前記低電力伝送モードである場合に、所定の低減電力の設定値を使用して前記アクセス要求を送信するように構成されてもよい。
【００１９】
前記受信器は、前記低電力伝送モードである間に、後続の送信のために、割り当てられた低減電力レベルを基地局から受信するように構成されてもよい。
【００２０】
前記モバイル端末は、携帯用若しくはハンドヘルドのモバイル無線通信機器、モバイル無線端末、モバイル電話機、スマートフォン、コミュニケータ、又は無線音声通信能力を有するその他のいかなる電子デバイスであってもよい。
【００２１】
別の実施形態によれば、電力の影響を受けやすい環境内の基地局を動作する方法は、アクセス要求をモバイル端末から受信する工程と、前記アクセス要求の電力レベルを判定する工程と、前記アクセス要求の前記電力レベルが所定のレベル以上の場合に、前記モバイル端末が低電力伝送モードに入ることの要求を送信する工程とを備える。
【００２２】
前記送信する工程は、前記基地局を特別な基地局として識別し、かつ、低電力伝送モードに入る要求である、識別コードを、前記モバイル端末に送信する工程を備えてもよい。
【００２３】
別の実施形態では、電力の影響を受けやすい環境で動作する基地局は、アクセス要求をモバイル端末から受信するように動作する受信器と、前記アクセス要求の電力レベルを判定するように動作するプロセッサと、前記アクセス要求の前記電力レベルが所定のレベル以上の場合に、前記モバイル端末が低電力伝送モードに入ることの要求を送信するように動作する送信器とを備える。
【００２４】
前記送信器は、前記基地局を特別な基地局として識別し、かつ、低電力伝送モードに入る要求である、識別コードを、前記モバイル端末に送信するように動作してもよい。
【００２５】
別の実施形態によれば、コンピュータ能力を有する電子デバイスによってコンピュータ・プログラム・コード部分が実行される場合に、コンピュータ・プログラム製品は、モバイル端末を動作する方法を実行するため、コンピュータ・プログラム・コード部分を備える。
【００２６】
モバイル端末を動作する方法を実行するコンピュータ・プログラム・コード部分を備えるコンピュータ・プログラム製品は、コンピュータで読み取り可能な媒体上に、記録媒体上に、又は信号中に備えられていてもよい。
【００２７】
別の実施形態によれば、コンピュータ能力を有する電子デバイスによってコンピュータ・プログラム・コード部分が実行される場合に、コンピュータ・プログラム製品は、基地局を動作する方法を実行するため、コンピュータ・プログラム・コード部分を備える。
【００２８】
基地局を動作する方法を実行するコンピュータ・プログラム・コード部分を備えるコンピュータ・プログラム製品は、コンピュータで読み取り可能な媒体上に、記録媒体上に、又は信号中に備えられていてもよい。
【００２９】
従属項に、本発明のさらなる実施形態を規定する。
【００３０】
本発明の幾つかの実施形態は、モバイル端末が飛行モードである場合に、モバイル端末のための低電力伝送モードを提供する。
【００３１】
本発明の実施形態の利点は、低電力伝送レベルで動作することで電力を抑える間は、モバイル端末が飛行機の飛行システムに影響を及ぼさずに動作するということである。
【００３２】
強調すべきことであるが、本明細書で使用する場合の「備える／備えている（ｃｏｍｐｒｉｓｅｓ／ｃｏｍｐｒｉｓｉｎｇ）」という用語は、述べられた特徴、整数、ステップ、又は部品の存在を特定するものと解釈されるが、一つ以上のその他の特徴、整数、ステップ、部品、又はこれらのグループの存在又は追加を排除するものではない。
【００３３】
本発明の実施形態のさらなる目的、特徴、及び利点は、以下の添付の図面を参照して行われる以下の詳細な説明から明確になるであろう。
【発明を実施するための最良の形態】
【００３４】
図１はモバイル端末１の一例を説明する。モバイル端末１は、例えばキーパッド２、ディスプレイ３、ジョイスティック４、マイク５、及びスピーカ６などのマンマシン・インタフェースを備えてもよく、これらを通じて、ユーザはモバイル端末１と情報をやりとりする。モバイル端末１は、携帯用若しくはハンドヘルドのモバイル無線通信機器、モバイル無線端末、モバイル電話機、コミュニケータ、スマートフォン、又は音声若しくはデータの無線通信能力を有するいかなるその他の電子デバイスであってもよい。したがって、モバイル端末１はネットワーク１０に接続されてもよい。
【００３５】
モバイル端末１は、モバイル端末１内で機能を実行するための様々なアプリケーションを備えてもよい。アプリケーションは動作プラットフォーム内で提供されてもよい。それに替えて又はそれに加えて、アプリケーションは通信プラットフォーム内で提供されてもよい。動作プラットフォームは、ＡＣＰＵ（アプリケーションＣＰＵ）とも呼ばれるＣＰＵ（中央演算処理ユニット）７のようなアプリケーション・プロセッサによって実行されるシステム・ソフトウエアを備えてもよい。同様に、通信プラットフォームは、例えば、ネットワーク１０との通信を実行するためのハードウエア及びソフトウエアの両方を備えてもよい。したがって、通信プラットフォームもまた、様々なアプリケーションを提供するために、ＣＣＰＵ（通信ＣＰＵ）と呼ぶことができるＣＰＵを備えてもよい。ＡＣＰＵ及びＣＣＰＵは、別々の動作システムを実行してもよい。また、通信プラットフォーム及び動作プラットフォームは情報を交換するために相互にやりとりしてもよい。
【００３６】
モバイル端末１はさらに、ネットワーク１０へ及びネットワーク１０から信号を送信及び受信するための送信器１１及び受信器１２（又は送受信器）を備えてもよい。モバイル端末１はまた、モバイル端末１により使用される送信電力を制御するための送信電力制御器１３を備えてもよい。送信電力制御器１３は送信器の一部を形成してもよい。
【００３７】
図２は、本発明の実施形態における、電力の影響を受けやすい環境を含む通信システム１００の一例を説明する。この説明例において、電力の影響を受けやすい環境は、航空機のような飛行機１０２の内部である。また、本発明は、例えば、空港、空港ターミナル、原子力発電所、病院等のようなその他のいかなる電力の影響を受けやすい環境にも関連し、そして本発明はそのことに限定されるものではない。
【００３８】
通信ネットワーク１００は、複数の地上基地局１０８ａ乃至ｃを介して通信する複数のモバイル端末を備えることができるセルラ通信システムであってもよい。基地局は、既知の方法で公衆交換電話網（ＰＳＴＮ）１１０に接続されてもよい。さらに、通信ネットワーク１００はまた、モバイル端末間の通信をさらに容易にするための衛星１１２を備えてもよい。
【００３９】
飛行機１０２は、地上基地局１０８ａ乃至ｃによりサービスが行われる複数のセル（不図示）を通り抜けて飛行している。飛行機１０２は、飛行機基地局（ＡＢＳ）１０４と少なくとも一つのモバイル端末１０６とを備える。以下にさらに詳細に説明するように、モバイル端末１０６は、通信ネットワーク１００を使用して、飛行機１０２の内部及び外部の両方にあるデバイスと通信してもよい。モバイル端末１０６は、飛行機１０２のシステムと干渉しないように、低減電力伝送を使用して飛行機基地局１０４と通信する。飛行機１０２と地上のデバイス、例えば電話機との間の乗客による空対地通信は、無線リンク１１６を経由した、飛行機基地局１０４から地上基地局１０８ａ乃至ｃへの伝送によって実現されてもよい。それに替えて、モバイル端末１０６と地上の電話機との間の通信を容易にするために、飛行機基地局１０４は衛星１１２への無線通信リンク１１８を使用してもよい。
【００４０】
地上基地局１０８ａ乃至ｃは、飛行機との通信専用の基地局であってもよい。地上基地局は、例えばＧＳＭ、ＵＭＴＳ、ＧＰＲＳ、及びＥＤＧＥのうちの少なくともいずれかの通信ネットワークのような、その他の通信ネットワークのための基地局と共同設置されてもよいし、動作可能なように接続されてもよい。
【００４１】
本明細書で使用する場合の低減送信電力又は電力レベルは、最大送信電力又は電力レベルよりも低い送信電力又は電力レベルで、モバイル端末１０６が使用可能なものを意味する。低減送信電力は、モバイル端末１０６が使用できる送信電力範囲の、低い側の一定の範囲内であってもよい。一定の範囲は、例えば、１００ｍＷ以下で１ｍＷ以上であってもよい。低減送信電力における最大許容送信電力は、例えば、基地局の環境で通信される信号の最大予測減衰に依存して設定されてもよい。
【００４２】
低電力伝送レベルにおける基地局探索にとって、送信電力レベルは、ＧＳＭにとっての最小出力電力である５ｍＷの出力電力であってもよい。それとは別に、低電力伝送モードにおける基地局探索の送信電力レベルは、５ｍＷの出力電力であってもよい。これらのレベルは単なる例である。その他の例が適用されてもよく、それぞれの特定の場合で検証及び評価されなければならない。
【００４３】
送信電力は、例えば、送信器の電力増幅器が供給する送信電力を制御することにより、低減されてもよい。通信リンクの確立後に、送信電力は基地局によって制御されてもよい。
【００４４】
無線通信リンク１１６、１１８、及び基地局１０４とモバイル端末１０６との間の通信リンクは、典型的に、少なくとも一つのパイロット信号と複数の無線周波数音声チャネルとを備えるが、本発明はこれに限定されるものではない。各基地局１０８ａ乃至ｃは、飛行機１０２のためにパイロット信号を同報する。パイロット信号は、音声チャネルの利用可能性、周波数等の様々な種類の情報を飛行機１０２に知らせる。
【００４５】
図３は、飛行機１０２内で用いる通信システムの一例を説明する。上記の説明の通り、飛行機通信システムは、飛行機基地局１０４と少なくとも一つのモバイル端末１０６ａ乃至ｆとを備える。飛行機通信システムは、いかなる個数の飛行機基地局を備えてもよいことが理解されよう。
【００４６】
ここで、飛行機１０２内でのモバイル端末１０６の動作について、図４を参照して説明する。本発明のある実施形態において、モバイル端末１０６は、低減または低電力伝送モード即ち“飛行モード”を具備する。モバイル端末１０６が低電力伝送モードである場合には、モバイル端末１０６は伝送のために所定の電力の設定値を使用し、所定の電力の設定値は個別のモバイル端末１０６に対する最大送信電力の設定値より低い。したがって、飛行機１０２内の基地局と通信する場合であって、モバイル端末１０６が低電力伝送モードに入ったときには、低減送信電力レベルが使用されるであろう。モバイル端末１０６は、例えば飛行機１０２内に入った際に、ユーザによる手動で低電力伝送モードに入ることができる。それに替えて、通信ネットワーク１００から低電力伝送モードに入るように要求があった場合に、モバイル端末１０６は自動的に低電力伝送モードに切り替わってもよい。
【００４７】
ステップ４０１で、最初に通信リンクが要求され、モバイル端末１０６はまず飛行モードであるかどうかを判定する。モバイル端末１０６が飛行モードである場合には、ステップ４０３で、モバイル端末１０６は、最大電力以下の所定の電力レベルを使用して、ランダム・アクセス・バーストのようなアクセス要求を、ランダム・アクセス・チャネル（ＲＡＣＨ）のようなアクセス・チャネルに送信するであろう。様々な通信システムにとっての幾つかの最大及び最小電力レベルについて、以下に述べる。
【００４８】
ＧＳＭアンテナにとっての最大送信電力レベルは、２Ｗ（１ｍＷに対し３３ｄＢｍ）である。最小レベルは１ｍＷである。地上でのＢＳ間の最大距離は３５ｋｍである。
【００４９】
ＤＣＳ／ＰＣＳにとっての最大送信電力レベルは、１Ｗ（１ｍＷに対し３０ｄＢｍ）である。モバイル端末の電力制御ループ経由でレベルが制御される。
【００５０】
Ｂｌｕｅｔｏｏｔｈにとっての最大送信電力レベルは、０．１Ｗ（１ｍＷに対し２０ｄＢｍ）である。
【００５１】
ＷＣＤＭＡにとっての最大送信電力レベルは、電力クラス３で、０．２５Ｗ（１ｍＷに対し２４ｄＢｍ）である。または、電力クラス４で、０．１２５Ｗ（１ｍＷに対し２１ｄＢｍ）である。ＷＣＤＭＡに対する最小送信電力レベルは１０ｎＷ程度の低さである。
【００５２】
ＧＰＲＳにとっての最大送信電力レベルは、８Ｗ（３９ｄＢｍ）と０．８Ｗ（２９ｄＢｍ）との間のクラスに分けられる。ＧＰＲＳにとっての最小送信電力レベルは、３．１６ｍＷである。
【００５３】
モバイル端末が飛行モードでないと判定された場合には、ステップ４０５で、モバイル端末１０６は、全電力又は最大電力でランダム・アクセス・バーストを送信するであろう。ある実施形態では、ステップ４０７で、モバイル端末１０６はその後に、飛行機基地局１０４から飛行モードに切り替える要求を受信するだろう。要求はディスプレイ３に表示されてもよく、その結果、ユーザは要求を知らされ、ユーザはモバイル端末１０６を飛行モードに手動で切り替えることができる。したがって、要求はテキスト・メッセージであってもよい。それに替えて、ステップ４０９で、モバイル端末１０６は、要求に応答して自動的に飛行モードに切り替わってもよい。
【００５４】
ステップ４１１で、飛行機基地局１０４はまた、モバイル端末１０６が飛行機基地局１０４へのさらなる伝送のために使用する新たな伝送電力レベルをブロードキャスト・チャネルで送信してもよい。
【００５５】
幾つかの実施形態では、飛行機基地局は、基地局を識別するＩＤ：００１  ０１のような識別コードを送信してもよい。基地局は特別な基地局として識別されてもよい。特別な基地局は、電力の影響を受けやすい環境で提供される基地局であってもよく、特別な基地局を用いて低電力伝送モードが通信に使用されるべきである。識別コードは、低電力伝送モードを使用して送信することの要求であってもよい。したがって、最大送信レベルを使用してアクセス要求が送信されてもよく、それに応じて識別コードが受信される。そして、さらなる伝送において、モバイル端末は低減送信電力レベルを使用して通信してもよい。
【００５６】
モバイル端末１０６によって識別コードが受信された場合に、モバイル端末は基地局を特別な基地局、例えば飛行機基地局として識別する。例えば、識別コードが特別な基地局に対するものかを確かめるために、識別コードは、モバイル端末１０６に保存された識別コードと比較される。例えば、飛行機、病院等のような異なる環境における基地局に異なる識別コードが使用されてもよい。基地局が特別な基地局であると識別された場合に、ステップ４１３で、モバイル端末１０６がその他の基地局を探索しないようするために、モバイル端末は自身の基地局探索機能を無効にしてもよい。その代わりに、飛行モードをオフに切り替えるまで、ステップ４１５で、モバイル端末１０６は飛行機基地局１０４に接続し続けるであろう。さらに、モバイル端末１０６が飛行モードであり、かつ、特別な基地局を発見しない場合には、モバイル端末１０６はその他の基地局を発見する試みを行わない。
【００５７】
図５は、本発明による基地局４２０のある実施形態を説明する。基地局は、受信器４２１、送信器４２２、及びプロセッサ４２３を備える。受信器４２１及び送信器４２２は、モバイル端末１０６と通信するように動作する。プロセッサ４２３は、基地局の機能を実行するように、例えば、モバイル端末が低電力伝送モードを使用して送信しているかどうかを判定するように動作する。また、プロセッサは、モバイル端末１０６に送信する要求を用意するように構成されても良い。
【００５８】
ここで、図６を参照して、飛行機基地局の動作を説明する。ステップ５０１で飛行機基地局がモバイル端末１０６からアクセス要求を受信する場合に、ステップ５０３で飛行機基地局１０４はまず、例えば測定又は評価により、受信信号の送信電力を判定する。送信電力が所定のレベル以上の場合には、ステップ５０５で、飛行機基地局は、低電力伝送モードに切り替えるか、又は低電力伝送モードに入ることの要求をモバイル端末１０６に送信する。ステップ５０７で、飛行機基地局１０４はまた、飛行機基地局１０４へのさらなる伝送のために使用するために、ブロードキャスト・チャネルで新たな送信電力レベルをモバイル端末１０６に送信してもよい。要求として又は要求に追加して、飛行機基地局は、基地局を特別な基地局として識別する識別コードを送信してもよい。次に、ステップ５０９で、飛行機基地局は、モバイル端末１０６及び地上基地局１０８ａ乃至ｃ、又は必要であれば衛星１１２と通信する。
【００５９】
各々のモバイル端末及び特別な基地局は、上記で説明した判定を実行するためのプロセッサを備えてもよい。例えば、モバイル端末１０６のプロセッサは、低電力伝送モードを使用して送信する要求が識別コードを備えるかどうか、基地局が特別な基地局であるかどうか等を判定するように構成されてもよい。同様に、基地局のプロセッサは、受信信号の電力レベルが所定のレベル以上であるかどうかを判定するように構成されてもよい。所定のレベルは、低電力伝送モードでの最大許容送信電力レベルに相当するレベルであってもよい。
【００６０】
低電力伝送モードである場合には、基地局との通信の送信電力だけが制限を受けるわけでなくてもよい。例えば、Ｂｌｕｅｔｏｏｔｈ及びＷＬＡＮ（無線ローカル・エリア・ネットワーク）の少なくともいずれかの通信能力である短距離通信能力を使用する通信のような、他の電子デバイスとの通信の送信電力もまた、低減されてもよい。
【００６１】
本明細書で説明した方法及び機能の実現を可能とするコンピュータ・プログラム製品に本発明が組み込まれてもよい。例えばプロセッサのような計算能力を有するシステムにコンピュータ・プログラム製品をロードし、実行する際に、本発明が実行されてもよい。本文脈におけるコンピュータ・プログラム、ソフトウエア・プログラム、プログラム製品、又はソフトウエアは、プログラム言語、コード、又は表記法において、演算能力を有するシステムに、特別な機能を直接に又は別の言語、コード、又は表記法に変換した後に実行させることを意図した命令セットのいかなる表現をも意味する。コンピュータで読み取り可能な媒体に、コンピュータ・プログラム製品が記憶されてもよい。
【００６２】
コンピュータ能力を有する電子デバイスがコンピュータ・プログラム・コード部分を実行する場合には、コンピュータ・プログラム製品は、モバイル端末又は基地局を動作させるための本明細書と請求の範囲とで述べたような方法を実行するコンピュータ・プログラム・コード部分を備えてもよい。
【００６３】
コンピュータ能力を有する電子デバイスがコンピュータ・プログラム・コード部分を実行する場合には、コンピュータ・プログラム製品を記憶するコンピュータで読み取り可能な媒体は、モバイル端末又は基地局を動作させるための本明細書と請求の範囲とで述べたような方法を実行するコンピュータ・プログラム・コード部分を備えてもよい。
【００６４】
特定の実施形態を参照して、本発明について上記で説明した。しかしながら、上記で説明したもの以外のその他の実施形態も同様に、本発明の範囲内で可能である。ハードウエア若しくはソフトウエア又はハードウエアとソフトウエアとの組み合わせで本方法を実行する、上記で説明したものとは異なる方法を、本発明の範囲内で提供してもよい。説明したもの以外の他の組み合わせで、本発明の異なる特徴とステップとを合成してもよい。本発明の範囲は、添付の特許請求の範囲によってのみ限定される。
【図面の簡単な説明】
【００６５】
【図１】本発明のある実施形態におけるモバイル端末のブロック図の一例である。
【図２】本発明のある実施形態における通信システムの概略図の一例である。
【図３】本発明のある実施形態における飛行機内の通信システムのブロック図の一例である。
【図４】本発明のある実施形態における低電力伝送モードを使用するモバイル端末を動作する方法のある実施形態のフローチャートの一例である。
【図５】本発明のある実施形態における基地局のブロック図の一例である。
【図６】本発明のある実施形態における電力の影響を受けやすい環境で基地局を動作する方法のある実施形態のフローチャートの一例である。
【図１】
2009517901.tif 000003
【図２】
2009517901.tif 000004
【図３】
2009517901.tif 000005
【図４】
2009517901.tif 000006
【図５】
2009517901.tif 000007
【図６】
2009517901.tif 000008
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
低電力伝送モードを使用するモバイル端末を動作する方法であって、
アクセス要求を基地局に送信する工程と、
前記アクセス要求に応じて、前記基地局から、前記低電力伝送モードを使用して送信することの要求である少なくとも一つの識別コードを受信する工程と、
低減送信電力レベルを使用して前記基地局と通信する工程と
を備える方法。
【請求項２】
前記少なくとも一つの識別コードを受信する前記工程は、前記基地局を特別な基地局として識別する工程を備えることを特徴とする請求項１に記載の方法。
【請求項３】
前記受信する工程は、基地局探索機能を無効にすることの要求を備えることを特徴とする請求項１又は２に記載の方法。
【請求項４】
前記送信する工程は、前記アクセス要求を送信するために、最大可能送信電力の設定値以下の所定の低減送信電力を使用する工程を備えることを特徴とする請求項１乃至３のいずれか１項に記載の方法。
【請求項５】
前記低電力伝送モードである間に、後続の送信のために、割り当てられた低減送信電力レベルを基地局から受信する工程をさらに備える請求項１乃至４のいずれか１項に記載の方法。
【請求項６】
前記送信することの要求を、飛行機内の基地局である特別な基地局から受信する工程を備える請求項１乃至５のいずれか１項に記載の方法。
【請求項７】
前記送信することの要求を、電力の影響を受けやすい環境内で動作している特別な基地局から受信する工程を備える請求項１乃至５のいずれか１項に記載の方法。
【請求項８】
前記モバイル電話機が前記低電力伝送モードでない場合に、最大送信電力を使用して前記アクセス要求を送信する工程をさらに備え、
前記最大電力が所定のレベル以上である場合に、前記受信する工程は、前記低電力伝送モードに切り替えることの要求を前記基地局から受信する工程を備えることを特徴とする請求項１乃至７のいずれか１項に記載の方法。
【請求項９】
前記受信した識別コードが特別な基地局に対するものであるかどうかを判定するために、該識別コードを前記モバイル端末に保存された少なくとも一つの識別コードと比較する工程を備える請求項１乃至８のいずれか１項に記載の方法。
【請求項１０】
前記低電力伝送モードを使用する基地局が配置されていない場合に、基地局の探索を無効にする工程をさらに備える請求項１乃至９のいずれか１項に記載の方法。
【請求項１１】
低電力伝送モードで動作可能なモバイル端末であって、
プロセッサと、
基地局にアクセス要求を送信するように構成された送信器と、
送信されたアクセス要求に応じて、少なくとも一つの識別コードを有する、低電力伝送モードを使用して送信することの要求を前記基地局から受信するように構成された受信器とを備え、
前記プロセッサは、前記識別コードが特別な基地局を識別するかどうかを判定するように構成され、
前記送信器は、前記低電力伝送モードにおいて低減電力レベルを使用して前記基地局と通信するように構成されたことを特徴とするモバイル端末。
【請求項１２】
前記プロセッサは、前記基地局が特別な基地局である場合に、基地局探索機能を無効にするようにさらに構成されたことを特徴とする請求項１１に記載のモバイル端末。
【請求項１３】
前記送信器は、前記モバイル端末が前記低電力伝送モードである場合に、所定の低減電力の設定値を使用して前記アクセス要求を送信するように構成されたことを特徴とする請求項１１又は１２に記載のモバイル端末。
【請求項１４】
前記受信器は、前記低電力伝送モードである間に、後続の送信のために、割り当てられた低減電力レベルを基地局から受信するように構成されたことを特徴とする求項１１乃至１３のいずれか１項に記載のモバイル端末。
【請求項１５】
前記モバイル端末は、携帯用若しくはハンドヘルドのモバイル無線通信機器、モバイル無線端末、モバイル電話機、スマートフォン、又はコミュニケータであることを特徴とする請求項１１乃至１４のいずれか１項に記載のモバイル端末。
【請求項１６】
電力の影響を受けやすい環境内の基地局を動作する方法であって、
アクセス要求をモバイル端末から受信する工程と、
前記アクセス要求の電力レベルを判定する工程と、
前記アクセス要求の前記電力レベルが所定のレベル以上の場合に、前記基地局を特別な基地局として識別する識別コードの形式で、前記モバイル端末が低電力伝送モードに入ることの要求を、該モバイル端末に送信する工程とを備える方法。
【請求項１７】
電力の影響を受けやすい環境で動作する基地局であって、
アクセス要求をモバイル端末から受信するように動作する受信器と、
前記アクセス要求の電力レベルを判定するように動作するプロセッサと、
前記アクセス要求の前記電力レベルが所定のレベル以上の場合に、前記モバイル端末が低電力伝送モードに入ることの要求と識別コードとを送信するように動作する送信器とを備え、
前記プロセッサは、前記少なくとも一つの識別コードが特別な基地局を識別するかどうかを判定するように構成されたことを特徴とする基地局。
【請求項１８】
コンピュータに、請求項１乃至１０のいずれか１項に記載の方法を実行させるコンピュータ・プログラム。
【請求項１９】
コンピュータで読み取り可能な記憶媒体に記憶された請求項１８に記載のコンピュータ・プログラム。
【請求項２０】
コンピュータに、請求項１６に記載の方法を実行させるコンピュータ・プログラム。  
【請求項２１】
コンピュータで読み取り可能な記憶媒体に記憶された請求項２０に記載のコンピュータ・プログラム。
【国際調査報告】
2009517901.tif 000009
2009517901.tif 000010